(57)【特許請求の範囲】
【請求項１】
居室と、この居室に廊下を介して併設された附室とを備えた建築物における防火装置であって、上記居室に設置された排煙設備と、上記廊下に設置された排気設備と、上記附室に設置された給気設備と、上記排煙設備の停止信号を受けた時に上記排気設備に駆動信号を出力して当該排気設備を作動させる制御手段とを備え、かつ上記附室と廊下との間に、これらの連通を遮断する防火扉が設けられているとともに、上記附室と廊下とを連通させるバイパスダンパーが廊下の床付近に設けられ、このバイパスダンパーに、上記廊下から附室へ向かう空気の流れを阻止する逆流防止機能を有していることを特徴とする附室を備えた建築物における防火装置。
【請求項２】
上記居室が複数設けられ、これらの居室に設置された排煙設備が同時に作動させられた際に、上記廊下あるいは複数の居室のいくつかに外気を給気する外気導入設備が設けられていることを特徴とする請求項１に記載の附室を備えた建築物における防火装置。
【発明の詳細な説明】
【０００１】
【発明の属する技術分野】
本発明は、附室を備えた建築物における防火装置に関するものである。
【０００２】
【従来の技術】
従来、建築物においては、防火扉が閉じられることによって避難経路の入り口近傍に附室が形成されており、この附室は、防火扉が開放された状態において廊下へ通じ、また、この廊下を取り囲むようにして居室が設けられている。
【０００３】
そして、このような構成を有する建築物における防火装置の一例として、図７ないし図９に示すものが知られている。
これらの図において符号Ａは避難経路であり、この避難経路Ａの入り口近傍には、第１の防火扉１を介して遮蔽可能に連設された附室Ｂが設けられ、この附室Ｂには第２の防火扉２を介して廊下Ｃが設けられ、また、この廊下Ｃを取り囲むようにして、居室Ｄが第３の防火扉３を介して設けられている。
【０００４】
通常時においては、上記第１の防火扉１は閉じられ、また、第２の防火扉２および第３の防火扉３は開放されており、居室Ｄにおいて火災が発生した場合、当該居室Ｄからの避難が完了した後に、上記第２の防火扉２および第３の防火扉３が閉じられるようになっている。
【０００５】
一方、上記附室Ｂには、火災時において附室へ向けて外気を送り込む給気設備４が設けられ、また、上記居室Ｄには、その内部の煙を外部へ排出する排煙設備５が設けられており、これらの給気設備４および排煙設備５には、開閉可能な給気ダンパー６と排煙ダンパー７がそれぞれ設けられている。
さらに、上記附室Ｂと廊下Ｃとの間には、これらが第２の防火扉２によって遮蔽された際に、両者間に適度の空気の流れを確保するためのバイパスダンパー８が設けられている。
【０００６】
そして、このような従来の防火設備においては、たとえば、図７ないし図９に示すように、居室Ｄにおいて火災が発生した場合、その火災の発生が煙感知器等によって検出され、その検出信号に基づいて排煙設備５が作動させられるとともに、排煙ダンパー７が開放され、また、給気ダンパー６が開放されるとともに給気設備４が作動させられる。
これによって、上記居室Ｄが煙の排出に伴って負圧状態となされ、また、附室Ｂおよび廊下Ｃが、給気によって加圧状態となされることにより、図７および図８に矢印で示すように、附室Ｂから廊下Ｃを経て居室Ｄへ向かう空気の流れが形成されて、煙や高温ガス等が廊下Ｃや附室Ｂへ流れ込むことが抑制されて火災の拡大が抑制される。
【０００７】
【発明が解決しようとする課題】
とろで、このような従来の防火設備においては、上記居室Ｄの火災が進行して排煙設備５の作動が停止させられた場合、この居室Ｄ内の圧力が上昇して、上記廊下Ｃや附室Ｂとの間の差圧が保てず、これによって、上記居室Ｄ内の煙が、廊下Ｃを介して附室Ｂや避難経路Ａへ侵入することが想定されるといった問題点がある。
【０００８】
また、火災発生時に上記第２の防火扉２が閉じられるが、この第２の防火扉２の開閉度合いによって附室Ｂと廊下Ｃとの差圧が変化することから、この差圧によっては、上記第２の防火扉２の開閉に支障が生じるといった問題点もある。
【０００９】
本発明は、このような従来の防火装置が有する問題点を有効に解消しようとするもので、火災発生位置における排煙操作が停止した場合においても附室や避難経路への煙の侵入を防止することのできる附室を備えた建築物における防火装置を提供することを目的とするものである。
【００１０】
【課題を解決するための手段】
請求項１に記載の附室を備えた建築物における防火装置は、居室と、この居室に廊下を介して併設された附室とを備えた建築物における防火装置であって、上記居室に設置された排煙設備と、上記廊下に設置された排気設備と、上記附室に設置された給気設備と、上記排煙設備の停止信号を受けた時に上記排気設備に駆動信号を出力して当該排気設備を作動させる制御手段とを備え、かつ上記附室と廊下との間に、これらの連通を遮断する防火扉が設けられているとともに、上記附室と廊下とを連通させるバイパスダンパーが廊下の床付近に設けられ、このバイパスダンパーに、上記廊下から附室へ向かう空気の流れを阻止する逆流防止機能を有していることを特徴とするものである。
【００１１】
また、請求項２に記載の附室を備えた建築物における防火装置は、請求項１に記載の発明において、上記居室が複数設けられ、これらの居室に設置された排煙設備が同時に作動させられた際に、上記廊下あるいは複数の居室のいくつかに外気を給気する外気導入設備が設けられていることを特徴とするものである。
【００１５】
また、請求項１に記載の附室を備えた建築物における防火装置によれば、居室における火災発生時において、排煙設備を作動させて、上記居室内の煙を外部へ排出してこの居室内を負圧状態に保持し、また、給気設備を作動させて、空気を、附室を介して廊下へ給気することにより、附室および廊下を加圧状態に保持する。
これによって、廊下から居室へ向かう空気の流れを確実に形成して廊下への火災の拡大を防止することができる。
そして、上記居室における火災が進行して排煙設備による排煙操作が停止すると、廊下に設けられている排気設備を作動させることにより、当該廊下の空気あるいは居室から侵入した煙を外部へ排出して、この廊下を負圧状態に保持し、これによって、附室と廊下との間に適度の差圧を確保するとともに、廊下を介して附室へ煙が侵入することを防止し、附室への火災の拡大を防止することができる。
【００１６】
また、バイパスダンパーを廊下の床付近に設置することにより、加圧給気を廊下の下部に供給し、廊下に煙が流入した際には、上部の煙層の乱れを防止して下部の空気層の清浄度を保つことができ、また、附室と廊下とを連通させるバイパスダンパーに逆流防止機能を与えることにより、廊下が延焼して廊下側の圧力が急激に上昇した場合にあっても、上記バイパスダンパーを介して煙や高温ガスが附室へ侵入することを防止し、附室の延焼を防止することができる。
【００１７】
さらに、請求項２に記載の発明のように、居室が複数あり、これらの複数の居室において火災が発生して、複数の居室における排煙操作が同時に開始された場合、外気導入設備から、上記廊下あるいは複数ある居室のいくつかに外気導入設備によって外気を給気することにより、居室から排出される気体量と、給気設備によって附室や廊下へ供給される気体量とのバランスを調整する。
これによって、廊下と居室との間の差圧や廊下と附室との間の差圧を適切に保持して、煙や高温ガスの流れを確実に制御し、また、防火扉の開閉を円滑なものとする。
【００１８】
【発明の実施の形態】
（第１の実施形態）
図１ないし図３は、本発明に係わる附室を備えた建築物の防火装置の第１の実施形態を示すもので、居室Ｄと、この居室Ｄに廊下Ｃを介して併設された附室Ｂとを備えた建築物における防火装置であって、上記居室Ｄに設置された排煙設備１０と、上記廊下Ｃに設置された排気設備１１と、上記附室Ｂに設置された給気設備１２と、上記排煙設備１０が停止した際に、上記排気設備１１を作動させる制御手段１３とを備えている。
【００１９】
上記附室Ｂは、通常時は閉状態とされている第１の防火扉１を介して避難経路Ａへ連絡されており、また、開閉可能な第２の防火扉２を介して上記廊下Ｃへ連絡され、また、この廊下Ｃは、開閉可能な第３の防火扉３を介して居室Ｄへ連絡されている。
【００２０】
一方、上記廊下Ｃおよび居室Ｄには煙感知器１４・１５が設置されており、これらの各煙感知器１４・１５は、上記制御手段１３に信号線によって接続されて、上記廊下Ｃおよび居室Ｄ内において発生した火災を検出して、その検出信号を上記制御手段１３へ出力するようになっている。
【００２１】
また、上記排煙設備１０には、排煙操作の開始や停止を行なう排煙ダンパー１６が設けられ、上記排気設備１１には排気ダンパー１７が、さらに、上記給気設備１２には給気ダンパー１８がそれぞれ設けられて、上記制御手段１３からの制御信号に基づき開閉操作されるようになっている。
【００２２】
さらに、上記附室Ｂと廊下Ｃとの間には、図２に示すように、上記第２の防火扉２が閉じられた状態において附室Ｂと廊下Ｃとの連通をなすバイパスダンパー１９が設けられ、本実施形態においては、このバイパスダンパー１９に逆流防止機能が付与されて、廊下Ｃ側から附室Ｂへ向かう空気の流れを阻止するようになっている。
そして、上記バイパスダンパー１９は、廊下Ｃの床付近に設置されており、加圧給気を廊下の下部に供給して、廊下に煙が侵入した際に、上部の煙層の乱れを防止して、下部の空気層の清浄度を保つようになっている。
【００２３】
ついで、このように構成された本実施形態の作用について説明する。
居室Ｄにおいて火災が発生した場合、この火災が居室Ｄの煙感知器１５によって検出されるとともに、その火災検出信号が制御手段１３へ送出され、この制御手段１３から排煙設備１０へ駆動信号が送出されて、排煙ダンパー１６が開放されて排煙操作が開始される。
これと同時に、給気設備１２の給気ダンパー１８が開放されるとともに、この給気設備１２によって附室Ｂへの給気操作が開始され、また、廊下Ｃに設けられている排気設備１１の排気ダンパー１７が閉塞されて、廊下Ｃからの排気が停止させられている。
【００２４】
そして、火災の初期段階においては避難のために、第２の防火扉２や第３の防火扉３は開放されており、この状態において、居室Ｄは排煙操作が継続されていることにより負圧状態に保持され、また、附室Ｂへの給気操作の継続によってこの附室Ｂが加圧状態となされるとともに、この附室Ｂに連続されている上記廊下Ｃも同様に加圧状態となされる。
【００２５】
したがって、この建築物内における空気の流れは、図１に矢印で示すように、附室Ｂから廊下Ｃを経て居室Ｄへ至る流れとなり、煙や高温ガスが居室Ｄから廊下Ｃや附室Ｂへ流れ込むことが防止され、これらの廊下Ｃや附室Ｂの延焼が防止される。
【００２６】
そして、上述した避難が完了した後に、第２の防火扉２および第３の防火扉３が閉じられるが、上記附室Ｂと廊下Ｃとがバイパスダンパー１９によって連通させられていることから、附室Ｂに供給される空気が上記バイパスダンパー１９を介して廊下Ｃへ送り込まれ、これによって、附室Ｂおよび廊下Ｃが加圧状態に保持され、かつ、排煙操作の継続によって居室Ｄが負圧状態に保持される。
この結果、図１の状態と同様に、居室Ｄから廊下Ｃや附室Ｂへの煙や高温ガスの侵入が防止されて火災の拡大が防止される。
【００２７】
一方、居室Ｄ内の火災が進行して内部温度が上昇した場合、排煙操作を停止して排煙設備１０からの延焼を防止する必要があるが、このように排煙設備１０の運転が停止されると、図２に示すように、その停止信号が制御手段１３へ送出されるとともに、この制御手段１３から、廊下Ｃに設置されている排気設備１１へ駆動信号が出力されて排気ダンパー１７が開放されて、廊下Ｃからの排気操作が開始される。
【００２８】
上記排煙設備１０の運転停止に伴って居室Ｄ内の圧力が上昇し、廊下Ｃとの間の差圧が小さくなるとともに、この廊下Ｃと附室Ｂとの差圧も減少する傾向にあるが、本実施形態においては上記のように、排煙設備１０の運転停止と同時に廊下Ｃの排気設備１１が運転させられることにより、上記廊下Ｃと附室Ｂとの差圧が十分に確保される。
これによって、廊下Ｃから附室Ｂへ向かう空気の逆流が阻止され、少なくとも附室Ｂへの煙や高温ガスの侵入が防止されて、附室Ｂや避難経路Ａへの火災の拡大が防止され、避難経路が確保される。
【００２９】
また、上記第２の防火扉２を閉じた後においても、避難のためにこの第２の防火扉２を開閉する必要が生じる場合があるが、第２の防火扉２の両側の圧力差が適切に保持されていることから、その開閉操作が困難になるといった不具合が回避される。
【００３０】
さらに、火災の進行により廊下Ｃが延焼する場合も想定されるが、このように廊下Ｃが延焼した場合には、上記排気設備１１が排煙設備として動作して廊下Ｃ内の煙が外部へ排出されることとなり、この点からも附室Ｂや避難経路Ａへの火災の拡大が防止されるとともに、避難経路が確保される。
また、この際に、バイパスダンパー１９を廊下Ｃの床付近に設置することにより、加圧給気を廊下Ｃの下部に供給して、廊下Ｃの上部の煙層の乱れを防止し、下部の空気層の清浄度を保つことができる。
【００３１】
一方、延焼した廊下Ｃの温度が上昇すると、図３に示すように、上記排気設備１１の運転が停止される。
ここで、廊下Ｃおよび居室Ｄにおける空気の排出経路がなくなることにより、これらの内部圧力が急激に上昇することがあり、この現象によって、廊下Ｃ内の煙や高温ガスがバイパスダンパー１９を介して附室Ｂへ流れ込むことが想定されるが、本実施形態においては、上記バイパスダンパー１９が逆流防止機能を備えていることから、上記のような附室Ｂへの煙や高温ガスの侵入が防止される。
【００３２】
このように本実施形態においては、火災の発生した居室Ｄにおける排煙操作が停止した状態においても、廊下Ｃと附室Ｂとの間の差圧が確保され、この附室Ｂへの煙や高温ガスの侵入が防止されて、附室Ｂや避難経路Ａの延焼が防止される。
また、廊下Ｃと附室Ｂとの差圧が適切に保持されることにより、これらの遮蔽する第２の防火扉２の開閉に支障をきたすことがない。
【００３３】
さらに、居室Ｄから廊下Ｃへ火災が拡大した場合、上記のように廊下Ｃと附室Ｂとを連通するバイパスダンパー１９に逆流防止機能が与えられていることにより、第２の防火扉２の開閉操作は困難になるものの附室Ｂへの延焼が防止され、したがって、附室Ｂへの延焼を長時間にわたって阻止し、避難経路Ａが長時間にわたって確保される。
【００３４】
（第２の実施形態）
図４ないし図６は、本発明の第２の実施形態を示すもので、複数（図示例では２つ）の居室Ｄ（Ｄ１・Ｄ２）が設けられている場合に適用したもので、各居室Ｄ（Ｄ１・Ｄ２）に排煙設備１０と煙感知器１５を設置するとともに、居室Ｄ（Ｄ１・Ｄ２）の一つ（図示例では居室Ｄ１）に、空調設備２０の吸気ダクト２１から分岐させた外気導入設備としての外気ダクト２２を連通させ、かつ、上記吸気ダクト２１の、上記外気ダクト２２との分岐部よりも下流側と、上記外気ダクト２２に開閉ダンパー２３・２４を設け、これらの開閉ダンパー２３・２４を上記制御手段１３によって開閉制御するようにしたものである。
【００３５】
このような構成とするのは、居室Ｄが複数ある場合、これらの居室Ｄ１・Ｄ２の両方に火災が発生して、それぞれの排煙設備１０の運転が開始されると、居室Ｄ全体としての排気量が大幅に増加し、附室Ｂへ給気を行なう給気設備１２からの給気量との間のバランスが崩れ、たとえば、第２の防火扉２や第３の防火扉３の両側における圧力差が過剰となり、これらの第２の防火扉２や第３の防火扉３の開閉に支障をきたすおそれがあり、この不具合を解消するためである。
【００３６】
すなわち、図４に示すように、居室Ｄ２のみにおいて火災が発生した場合においては、開閉ダンパー２４を閉じておくとともに、給気設備１２と居室Ｄ２に設けられている排煙設備１０とを作動させることにより、図１に示す例と同様の作用により廊下Ｃや附室Ｂへの延焼、および、他の居室Ｄ１への延焼が防止される。
そして、図６に示すように、上記居室Ｄ２の火災の進行に伴って排煙操作が停止した場合においては、図２に示す例と同様に、廊下Ｃの排気設備１１が作動させられることにより、附室Ｂと廊下Ｃとの差圧が確保されて附室Ｂの延焼が防止される。
【００３７】
そして、図５に示すように、居室Ｄ２から居室Ｄ１へ延焼し、この居室Ｄ１からの排煙操作が開始されると、両居室Ｄ１・Ｄ２から同時に煙の排出操作が行なわれることとなり、上記給気設備１２からの給気量との間のバランスが崩れ、特に、開閉操作される第２の防火扉２の開閉に支障が生じるが、本実施形態においては、上記両排煙設備１０・１０が作動させられると、これらの作動信号に基づいて、上記制御手段１３から吸気ダクト２１の開閉ダンパー２３に閉塞信号が出力され、かつ、外気ダクト２２の開閉ダンパー２４に開放信号が出力される。
【００３８】
このような操作によって、外気が、上記外気ダクト２２を介して一方の居室Ｄ１へ導入されて、この居室Ｄ１の圧力低下が軽減され、この結果、全体としての排気量が減少させられることにより、上記廊下Ｃと附室Ｂとの間の差圧が適切な値に保持されて、上記第２の防火扉２の開閉が円滑に行なわれる。
【００３９】
なお、この第２の実施形態において、外気ダクト２２を一方の居室Ｄ１に設けた例について示したが、他方の居室Ｄ２へ設けるようにしてもよく、また、廊下に設けるようにしてもよいものである。
また、この外気ダクト２２は、空調設備兼用せずに、単独に設けるようにしてもよいものである。
【００４０】
【発明の効果】
以上説明したように、請求項１に記載の附室を備えた建築物の防火装置によれば、居室における火災発生時において、排煙設備によって上記居室内の煙を外部へ排出してこの居室内を負圧状態に保持し、また、給気設備を作動させて、空気を、附室を介して廊下へ給気することにより、附室および廊下を加圧状態に保持する。
そして、上記居室における火災が進行して排煙設備による排煙操作が停止すると、その停止信号に基づき、制御手段によって、廊下に設けられている排気設備を作動させることにより、当該廊下の空気あるいは居室から侵入した煙を外部へ排出してこの廊下を負圧状態に保持し、これによって、附室と廊下との間に適度の差圧を確保することができる。
【００４２】
また、バイパスダンパーを廊下の床付近に設置することにより加圧給気を廊下の下部に供給し、廊下の上部の煙層の乱れを防止して下部の空気層の清浄度を高めることができ、また、附室と廊下とを連通させるバイパスダンパーに逆流防止機能を与えることにより、廊下が延焼して廊下側の圧力が急激に上昇した場合にあっても、上記バイパスダンパーを介して煙や高温ガスが附室へ侵入することを防止し、この附室の延焼を防止することができる。
【００４３】
さらに、請求項２に記載の発明のように、居室が複数あり、これらの複数の居室における排煙操作が同時に開始されると、外気導入設備によって、上記廊下あるいは複数ある居室のいくつかに、外気導入設備によって外気を給気することにより、居室から排出される気体量と、給気設備によって附室や廊下へ供給される気体量とを適切なバランスに調整することができる。
これによって、廊下と居室との間の差圧や廊下と附室との間の差圧を適切に保持して、煙や高温ガスの流れを確実に制御し、また、防火扉の開閉を円滑なものとすることができる。
【図面の簡単な説明】
【図１】本発明の第１の実施形態を示す概略システム構成図である。
【図２】本発明の第１の実施形態を示す概略システム構成図である。
【図３】本発明の第１の実施形態を示す概略システム構成図である。
【図４】本発明の第２の実施形態を示す概略システム構成図である。
【図５】本発明の第２の実施形態を示す概略システム構成図である。
【図６】本発明の第２の実施形態を示す概略システム構成図である。
【図７】一従来例の概略システム構成図である。
【図８】一従来例の概略システム構成図である。
【図９】一従来例の概略システム構成図である。
【符号の説明】
１０  排煙設備
１１  排気設備
１２  給気設備
１３  制御手段
１９  バイパスダンパー
２１  吸気ダクト
２２  外気ダクト（外気導入設備）
２３  開閉ダンパー
２４  開閉ダンパー（外気導入設備）
Ａ  避難経路
Ｂ  附室
Ｃ  廊下
Ｄ  居室
Ｄ１  居室
Ｄ２  居室
【図１】
0003985336.tif 000002
【図２】
0003985336.tif 000003
【図３】
0003985336.tif 000004
【図４】
0003985336.tif 000005
【図５】
0003985336.tif 000006
【図６】
0003985336.tif 000007
【図７】
0003985336.tif 000008
【図８】
0003985336.tif 000009
【図９】
0003985336.tif 000010